(57)【要約】  【課題】    電源基板からのノイズを効果的に遮蔽することができる撮像装置を提供する。  【解決手段】    本発明の撮像装置は、電池を収納する電池室７００と、電池室の一方側に配置され、電池から所定の電圧を生成する電源供給回路１１０が設けられた電源基板８１０と、電池室の一方側とは反対の他方側に配置され、電源供給回路１１０から電圧が供給されるマイクロコンピュータ１００が設けられた第１のデジタル基板８００と、電池室７００と第１のデジタル基板８００との間に配置され、外部メモリ３９用のスロット８２１が搭載された第２のデジタル基板８２０とを有する。【選択図】図９
2009175292.tif 000002
【特許請求の範囲】
【請求項１】
電池を収納する電池室と、
前記電池室の一方側に配置され、前記電池から所定の電圧を生成する電源供給回路が設けられた電源基板と、
前記電池室の前記一方側とは反対の他方側に配置され、前記電源供給回路から前記電圧が供給されるマイクロコンピュータが設けられた第１のデジタル基板と、
前記電池室と前記第１のデジタル基板との間に配置され、外部メモリを挿入するためのスロットが搭載された第２のデジタル基板と、を有することを特徴とする撮像装置。
【請求項２】
前記電源基板、前記第１のデジタル基板、及び、前記第２のデジタル基板は、一枚の金属プレートによって電気的に接続されていることを特徴とする請求項１に記載の撮像装置。
【請求項３】
前記第２のデジタル基板には、複数の電子部品が実装されており、
前記第２のデジタル基板の上に実装された前記電子部品は、全て、前記電池室とは反対側の面に実装されていることを特徴とする請求項１又は２記載の撮像装置。
【請求項４】
前記撮像装置は、さらに、表示部を有し、
前記第１のデジタル基板には、前記表示部に表示される画像データを生成するための映像信号処理回路が設けられていることを特徴とする請求項１乃至３のいずれか一に記載の撮像装置。
【発明の詳細な説明】
【技術分野】
【０００１】
本発明は撮像装置に係り、特に、複数の基板を備えた撮像装置に関する。
【背景技術】
【０００２】
撮像装置においては、電源供給回路（ＤＣ／ＤＣ変換回路）からのノイズが、撮像系及び表示系の回路に侵入すると、記録画像や画像表示へ悪影響を及ぼす。このため、撮像装置では、撮像系及び表示系の回路に電源供給回路のノイズの影響が及ばないように実装することが必要である。具体的には、電源供給回路と撮像系及び表示系の回路との間の距離をできるだけ離し、かつ、その間にシールド効果のある部材を介在させることが望ましい。
【０００３】
また、大気中へ不要ノイズが放出されることを防ぐには、基準電位と主要回路におけるグランドとの電位差を厳密に抑える必要がある。そのためには、主要な回路基板と基準電位となる電池接片をできるだけ近い位置で強固に電気的に接続する必要がある。
【０００４】
上記相反する条件を満たすため、アナログ基板とデジタル基板を対向させ、その間に電池ＢＯＸを配置し、電池によってノイズを電磁的に遮蔽する構成が特開２００６−８４８８８号公報（特許文献１）に開示されている。
【特許文献１】特開２００６−８４８８８号公報
【発明の開示】
【発明が解決しようとする課題】
【０００５】
しかしながら、上記文献に開示された構成では、電池の代わりに外部電源を用いる場合、電池ＢＯＸ内には電池のようなノイズを遮蔽する部材が存在しない。このため、このような構成では、ノイズの遮蔽効果を十分に得ることができないという問題があった。
【０００６】
そこで、本発明は、電源基板からのノイズによる悪影響を抑えることができる撮像装置を提供する。
【課題を解決するための手段】
【０００７】
本発明の一側面としての撮像装置は、電池を収納する電池室と、前記電池室の一方側に配置され、前記電池から所定の電圧を生成する電源供給回路が設けられた電源基板と、前記電池室の前記一方側とは反対の他方側に配置され、前記電源供給回路から前記電圧が入供給されるマイクロコンピュータが設けられた第１のデジタル基板と、前記電池室と前記第１のデジタル基板との間に配置され、外部メモリ用のスロットが搭載された第２のデジタル基板とを有する。
【０００８】
本発明のその他の目的及び特徴は、以下の実施例において説明される。
【発明の効果】
【０００９】
本発明によれば、電源基板からのノイズによる悪影響を抑えることができる。
【発明を実施するための最良の形態】
【００１０】
以下、本発明の実施例について、図面を参照しながら詳細に説明する。
（撮像装置の電気的構成）
まず、本実施例における撮像装置の電気的構成を説明する。図１は、本実施例における撮像装置の主要な電気的構成を示すブロック図である。本図は、具体的には、撮像装置としてデジタル一眼レフカメラの構成を示したものである。なお、後述の図２乃至図７と共通する部分には、図１と同一の符号が付されている。
【００１１】
１００はマイクロコンピュータ（以下、「ＭＰＵ」という。）である。マイクロコンピュータ１００は、カメラ本体１ａに内蔵され、カメラ１の中央処理装置として動作する。ＭＰＵ１００は、カメラ１の動作制御を司るものであり、カメラ１の各要素に対して様々な処理や指示を実行する。
【００１２】
１００ａはＥＥＰＲＯＭである。ＥＥＰＲＯＭ１００ａは、ＭＰＵ１００に内蔵された記憶装置として動作する。本実施例では、ＥＥＰＲＯＭ１００ａは、時刻計測回路１０９の計時情報やその他の情報を記憶することができる。
【００１３】
ＭＰＵ１００には、ミラー駆動回路１０１、焦点検出回路１０２、シャッタ駆動回路１０３、映像信号処理回路１０４、スイッチセンス回路１０５、測光回路１０６、及び、ストロボ駆動回路１１３が接続されている。ストロボ駆動回路１１３は、ストロボユニット５０４の動作を制御する。
【００１４】
また、ＭＰＵ１００には、液晶表示駆動回路１０７、バッテリチェック回路１０８、時刻計測回路１０９、電源供給回路１１０、圧電素子駆動回路１１１が接続されている。これらの回路は、ＭＰＵ１００に制御されることにより動作する。
【００１５】
ＭＰＵ１００は、撮影レンズユニット２００ａ内のレンズ制御回路２０１との間で、マウント接点５０７を介して通信を行う。マウント接点５０７は、撮影レンズユニット２００ａがカメラ本体１ａに接続されると、ＭＰＵ１００へ信号を送信する機能をも有する。これにより、レンズ制御回路２０１は、ＭＰＵ１００との間で通信を開始し、ＡＦ駆動回路２０２及び絞り駆動回路２０３を介して、撮影レンズユニット２００ａ内の撮影レンズ２００及び絞り２０４の駆動を行う。なお、図１では便宜上１枚の撮影レンズ２００のみを示しているが、実際には撮影レンズ２００は多数のレンズ群によって構成される。
【００１６】
ＡＦ駆動回路２０２は、例えば、ステッピングモータによって構成される。ＡＦ駆動回路２０２は、レンズ制御回路２０１の制御により撮影レンズ２００内のフォーカスレンズの位置を変化させ、撮像素子３３に撮影光束の焦点を合わせるように調整する。
【００１７】
絞り駆動回路２０３は、例えば、オートアイリス等によって構成される。絞り駆動回路２０３は、レンズ制御回路２０１の制御により絞り２０４を変化させ、光学的な絞り値を得る。
【００１８】
５１２はメインミラーである。メインミラー５１２は、図１に示される撮影光軸５０に対して４５°の角度に保持された状態で、撮影レンズ２００を通過する撮影光束をペンタダハミラー２２へ導く。また、メインミラー５１２は、撮影レンズ２００を通過する撮影光束の一部を透過させて、サブミラー３０へ導く。サブミラー３０は、メインミラー５１２を透過した撮影光束を焦点検出センサユニット３１へ導く。
【００１９】
ミラー駆動回路１０１はメインミラー５１２を駆動するものであり、例えば、ＤＣモータとギヤトレイン等によって構成される。ミラー駆動回路１０１は、ファインダにより被写体像を観察可能とする位置、及び、撮影光束から待避する位置の間において、メインミラー５１２を移動させる。ミラー駆動回路１０１によりメインミラー５１２が駆動されると、同時に、サブミラー３０も焦点検出センサユニット３１へ撮影光束を導く位置、及び、撮影光束から待避する位置の間を移動する。
【００２０】
焦点検出センサユニット３１は、不図示の結像面近傍に配置されたフィールドレンズ、反射ミラー、２次結像レンズ、絞り、及び、複数のＣＣＤからなるラインセンサ等によって構成され、位相差方式の焦点検出を行う。焦点検出センサユニット３１から出力される信号は、焦点検出回路１０２へ供給される。焦点検出回路１０２に供給された信号は、焦点検出回路１０２にて被写体像信号に換算され、ＭＰＵ１００に送信される。
【００２１】
ＭＰＵ１００は、被写体像信号に基づいて、位相差検出法による焦点検出演算を行う。また、ＭＰＵ１００は、デフォーカス量及びデフォーカス方向を求め、これらに基づいて、レンズ制御回路２０１及びＡＦ駆動回路２０２を介して撮影レンズ２００内のフォーカスレンズを合焦位置まで駆動する。
【００２２】
ペンタダハミラー２２は、メインミラー５１２により反射された撮影光束を正立正像に変換反射する。撮影者は、ファインダ光学系１８を介して、ファインダ接眼窓５２０から被写体像を観察することができる。ペンタダハミラー２２は、撮影光束の一部を測光センサ４６へも導く。測光回路１０６は、測光センサ４６からの出力信号を得て、その出力信号を観察面上の各エリアにおける輝度信号に変換し、ＭＰＵ１００に出力する。ＭＰＵ１００は、輝度信号に基づいて露出値を算出する。
【００２３】
撮影者がファインダにより被写体像を観察しているとき、シャッタユニット３２（機械フォーカルプレーンシャッタ）のシャッタ先幕は遮光位置にあり、また、シャッタユニット３２のシャッタ後幕は露光位置にある。次に、撮影時には、シャッタ先幕が遮光位置から露光位置へ移動する露光走行を行って被写体からの光を通過させ、撮像素子３３にて撮像を行う。所望のシャッタ秒時経過後、シャッタ後幕は露光位置から遮光位置へ移動する遮光走行を行って撮影を完了する。シャッタユニット３２は、ＭＰＵ１００の指令を受けたシャッタ駆動回路１０３により駆動制御される。
【００２４】
撮像ユニット４００は、光学ローパスフィルタ４１０、光学ローパスフィルタ保持部材４２０、圧電部材である圧電素子４３０、及び、撮像素子３３がユニット化されたものである。撮像素子３３は、被写体像を光電変換するものである。本実施例では、撮像素子３３としてＣＭＯＳセンサが用いられている。ただし、これに代えて、ＣＣＤ等の他の形態の撮像デバイスを採用することもできる。
【００２５】
撮像素子３３の前方に配置された光学ローパスフィルタ４１０は、水晶からなる１枚の複屈折板であり、その形状は矩形状である。圧電素子４３０は、単板の圧電素子（ピエゾ素子）である。圧電素子４３０は、ＭＰＵ１００の指示を受けた圧電素子駆動回路１１１により加振され、その振動を光学ローパスフィルタ４１０に伝えるように構成されている。
【００２６】
クランプ／ＣＤＳ（相関二重サンプリング）回路３４は、Ａ／Ｄ変換を実行する前の基本的なアナログ処理を行う。また、クランプ／ＣＤＳ回路３４は、クランプレベルを変更することも可能である。ＡＧＣ３５（自動利得調整装置）は、Ａ／Ｄ変換を実行する前の基本的なアナログ処理を行う。また、ＡＧＣ３５は、ＡＧＣ基本レベルを変更することも可能である。Ａ／Ｄ変換器３６は、撮像素子３３から出力されたアナログ信号をデジタル信号に変換する。
映像信号処理回路１０４は、デジタル化された画像データに対してガンマ／ニー処理、フィルタ処理、及び、モニタ表示用の情報合成処理等、ハードウエアによる画像処理全般を実行する。映像信号処理回路１０４からのモニタ表示用の画像データは、カラー液晶駆動回路１１２を介してカラー液晶モニタ５２９（表示部）に表示される。
【００２７】
また、映像信号処理回路１０４は、ＭＰＵ１００の指示に従い、メモリコントローラ３８を通じて、バッファメモリ３７に画像データを保存することができる。さらに、映像信号処理回路１０４は、ＪＰＥＧ等の画像データ圧縮処理を行うこともできる。
【００２８】
連写撮影等、連続して撮影が行われる場合、映像信号処理回路１０４は、一旦バッファメモリ３７に画像データを格納し、メモリコントローラ３８を通じて未処理の画像データを順次読み出すことができる。これにより、映像信号処理回路１０４は、Ａ／Ｄ変換器３６から入力される画像データの速度に関わらず、画像処理や圧縮処理を順次行うことができる。
【００２９】
メモリコントローラ３８は、外部インタフェース４０から入力される画像データを外部メモリ３９に記憶し、外部メモリ３９に記憶されている画像データを外部インタフェース４０から出力する機能を有する。なお、外部インタフェース４０は、図４におけるビデオ信号出力用ジャック８４１、リモート操作用ジャック８４２及びＵＳＢコネクタ８０１に相当する。外部メモリ３９としては、カメラ本体１ａに着脱可能なフラッシュメモリ等が用いられる。
【００３０】
スイッチセンス回路１０５は、各スイッチの操作状態に応じて、入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。また、スイッチセンス回路１０５には、メイン操作ダイヤル５０３、撮影モード設定ダイヤル５０２、及び、電源スイッチ５０１が接続されている。
【００３１】
液晶表示駆動回路１０７は、ＭＰＵ１００の指示に従って、ファインダ内液晶表示器４１を駆動する。
【００３２】
バッテリチェック回路１０８は、ＭＰＵ１００の指示に従って、バッテリチェックを行い、その検出結果をＭＰＵ１００に送信する。電源４２は、ＭＰＵ１００等のカメラ１の各要素に対して電源を供給する。
【００３３】
時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
（撮像装置の外観構成）
次に、本実施例における撮像装置の外観構成について説明する。
【００３４】
図２及び図３は、本実施例における撮像装置（デジタル一眼レフカメラ）の外観図である。図２は、撮像装置（カメラ）前面側より見た斜視図であり、撮影レンズユニットを外した状態を示している。図３は、撮像装置（カメラ）を撮影者側（背面側）から見た斜視図である。
【００３５】
図２において、１ａはカメラ本体である。カメラ本体１ａには、使用者が撮影時にカメラ１ａを安定して握り易いように、前方に突出したグリップ５１３が設けられている。５０１はカメラ１の電源スイッチである。電源スイッチ５０１が操作されることにより、カメラ１は起動又は停止する。
【００３６】
５１１はカメラ本体１ａの内部（カメラ筐体内）に配置されたミラーボックスである。ミラーボックス５１１には、撮影レンズを通過した撮影光束が導かれる。ミラーボックス５１１の内部には、メインミラー５１２が配設されている。メインミラー５１２は、撮影光束をペンタダハミラー２２（図１参照）の方向へ導くため、撮影光束中において撮影光軸に対して４５°の角度に保持される第１の状態をとる。また、メインミラー５１２は、撮影光束を撮像素子３３（図１参照）の方向へ導くため、撮影光束から退避した位置に保持される第２の状態をとる。メインミラー５１２は、ミラー駆動回路１０１（図１参照）により駆動されることにより、第１の状態又は第２の状態のいずれかをとるように移動する。
【００３７】
また、カメラ本体１ａの上部中央には、カメラ本体１ａに対してポップアップするカメラ内蔵型ストロボユニット５０４が設けられている。カメラ内蔵型ストロボユニット５０４は、被写体に照明光を照射する。
【００３８】
カメラ本体１ａの上部の前面から見て左寄り（背面から見て右寄り）には、撮影者がカメラ１の撮影モードを設定するための撮影モード設定ダイヤル５０２が設けられている。撮影モード設定ダイヤル５０２により、撮影シーンに合わせたオート撮影モード、及び、シャッタスピードやレンズ絞り値の各々を撮影者の意志により設定するマニュアル撮影モードなどを選択することが可能である。また、メイン操作ダイヤル５０３の操作によって、撮影時の動作モードに応じてシャッタスピードやレンズ絞り値を設定することが可能となる。
【００３９】
５０５ａ及び５０５ｂは、カメラ本体１ａへストラップを取り付けるためのストラップ取り付け部材である。ストラップ取り付け部材５０５ａ、５０５ｂは、略中央部に設けられた穴にストラップ紐がかけられるように構成されている。
【００４０】
５０８はマウント部である。マウント部５０８は、着脱可能な撮影レンズユニット（不図示）をカメラ本体１ａに固定させる。５０６はレンズロック解除釦である。レンズロック解除釦５０６を押し込むことにより、撮影レンズユニットをカメラ本体１ａから取り外すことができる。
【００４１】
５０７はマウント接点である。マウント接点５０７は、カメラ本体１ａと撮影レンズユニットとの間で制御信号、状態信号、及び、データ信号などの通信を行う。また、マウント接点５０７は、撮影レンズユニットに電力を供給する機能をも有する。このため、撮影レンズユニットは、独自の電源を必要としないで動作することができる。また、マウント接点５０７は、電気通信のみならず、光通信などを行うことができるように構成してもよい。
【００４２】
カメラのグリップ５１３の上部側には、撮影開始の起動スイッチとしてのレリーズボタン５１０が配置されている。レリーズボタン５１０は、第１ストロークによってスイッチＳＷ１（５１０ａ）がＯＮし、撮影準備動作（焦点調節動作及び測光動作）が開始される。また、レリーズボタン５１０は、第２ストロークによってスイッチＳＷ２（５１０ｂ）がＯＮし、撮影動作が開始される。
【００４３】
５０９は、カメラ１にて撮影した撮影画像を記録する外部メモリ（不図示）を収納するための収納口である。
【００４４】
図３に示すように、カメラ本体１ａの背面側には、上方にファインダ接眼窓５２０、カメラ１の撮影前情報や設定内容、及び、撮影した画像などを表示可能なカラー液晶モニタ５２９が設けられている。
【００４５】
カメラ本体１ａの背面側には、ＡＦフレーム選択ボタン５２２、ＡＥロックボタン５２３、撮影した画像の再生等の操作を行う再生ボタン５２６、及び、撮影した画像の消去等の操作を行う消去ボタン５２４が配置されている。また、カメラ本体１ａの背面側には、撮影した画像の印刷等の操作を行うイージーダイレクトボタン５２７、露出補正設定ボタン５２８、及び、メニュー画面の呼び出し等の操作を行うＭＥＮＵボタン５３０が配置されている。さらに、カラー液晶モニタ５２９の表示／非表示の切替等の操作を行うＤＩＳＰボタン５３１、及び、各種設定時に決定を行うための選択決定ボタン５２５なども、カメラ本体１ａの背面側に配置されている。
【００４６】
また、カメラ本体１ａの上部の背面から見て右側には、撮影者が撮影時のＩＳＯ感度設定を選択可能なモードへ移行するためのＩＳＯ感度設定ボタン５２１が設けられている。
【００４７】
カメラ本体１ａのグリップ５１３側とは反対側の側面には、外部インタフェースとして、ビデオ信号出力用ジャック８４１とリモート操作用ジャック８４２、及び、ＵＳＢコネクタ８０１が納められている（図６参照）。
（撮像装置の内部構成）
次に、本実施例における撮像装置の内部構成について説明する。
【００４８】
図４乃至図７は、本実施例における撮像装置（カメラ）の内部構成を示す斜視図である。図４及び図５は、それぞれ、カメラの前面側及び背面側から見た斜視図である。また、図６及び７は、それぞれ、カメラの前面側及び背面から見た分解斜視図である。
【００４９】
カメラ本体１ａの骨格となる本体シャーシ３００の被写体側（前面側）には、被写体側から順に、マウント部５０８、ミラーボックス５１１、及び、シャッタユニット３２が配設されている。ミラーボックス５１１の上部には、ファインダーユニット６００が配設されている。ファインダーユニット６００は、ペンタダハミラー２２を含み、撮影者に被写体像を提供する。
【００５０】
本体シャーシ３００の撮影者側（背面側）には、撮像ユニット４００、第１のデジタル基板８００、及び、インタフェース基板８４０が配設されている。撮像ユニット４００は、撮影レンズユニットが取り付けられる基準となるミラーボックス５１１の撮像素子取付け部５１１ａに固定されている。このとき、撮像ユニット４００は、撮像素子３３の撮像面がマウント部５０８から所定の距離だけ離れ、かつ、マウント部５０８と平行になるように調整されている。
【００５１】
撮像ユニット４００の背面には、Ａ／Ｄ変換基板８３０が配設されている。Ａ／Ｄ変換基板８３０には、例えば、Ａ／Ｄ変換器３６が配設されている。Ａ／Ｄ変換器３６は、撮像素子３３から出力されたアナログ信号をデジタル信号に変換する。
【００５２】
カメラ本体１ａの前面から見て、ミラーボックス５１１の右側には、シャッタユニット３２の一部である駆動部３２ａが配設されている。駆動部３２ａは、シャッタユニット３２の駆動、メインミラー５１２及びサブミラー３０の駆動、及び、ストロボユニット５０４の駆動を行う。
【００５３】
また、ミラーボックス５１１の左側には、電池室７００が配設されている。電池室７００には、カメラ１の電源となる電池が収納される。
【００５４】
電池室７００の被写体側（前面側）には、電源基板８１０が配設されている。電源基板８１０は、電池室７００の一方側（被写体側）に配置され、電源基板８１０には、電池から所定の電源電圧を生成する電源供給回路１１０（ＤＣ／ＤＣ変換回路）が設けられている。
【００５５】
また、電池室７００の撮影者側（背面側）には、第２のデジタル基板８２０が配設されている。第２のデジタル基板８２０は、電池室７００と第１のデジタル基板８００との間に配置されている。第２のデジタル基板８２０には、外部メモリ３９を挿入するためのスロット８２１が搭載されている。
【００５６】
第２のデジタル基板８２０のさらに撮影者側（背面側）には、第１のデジタル基板８００が配設されている。第１のデジタル基板８００は、電池室７００の一方側（被写体側）とは反対の他方側（撮影者側）に配置され、第１のデジタル基板８００には、電源供給回路１１０から電源電圧が供給されるＭＰＵ１００が設けられている。
【００５７】
このように、本実施例の撮像装置は、第１のデジタル基板８００と電池室７００との間に第２のデジタル基板８２０が配設される構成となっている。
【００５８】
本体シャーシ３００は、クランク状の折り曲げ部３００ａを有する。この折り曲げ部３００ａの付近において、電池室７００は本体シャーシ３００に取り付けられている。
【００５９】
電源基板８１０の上には、電池端子８１２、電源供給回路１１０、及び、ストロボ駆動回路１１３が配設されている。このように、電池端子８１２、電源供給回路１１０、及び、ストロボ駆動回路１１３は、同一基板上に配設されていることになる。これらが同一基板上に配設されていることにより、配線長の長さを抑えることができ、電力の損失を抑制することができる。
【００６０】
また、電源基板８１０には、ストロボ駆動回路１１３の一部であるメインコンデンサ８１１が配設されている。メインコンデンサ８１１は、ミラーボックス５１１と電池室７００との間に位置するように配設されている。
【００６１】
第２のデジタル基板８２０には、外部メモリ３９を利用するためのスロット８２１や圧電素子駆動回路１１１などの電源供給回路１１０からのノイズによりあまり影響を受けない回路が配設されている。また、第２のデジタル基板８２０の複数の電子部品は、全て、電池室７００とは反対側（撮影者側）の面に実装されている。複数の電子部品と電池室７００の間に第２のデジタル基板８２０の配線層が介在している。このように、本実施例では、第２のデジタル基板８２０には、複数の電子部品が実装されており、これら全ての電子部品は、電池室７００とは反対側（撮影者側）の面に実装されている。
【００６２】
第１のデジタル基板８００は略Ｌ字形状であり、ＭＰＵ１００、映像信号処理回路１０４、及び、カラー液晶駆動回路１１２などが配設されている。上述のとおり、本実施例の撮像装置は、カラー液晶モニタ５２９を有しており、第１のデジタル基板８００に設けられた映像信号処理回路１０４は、カラー液晶モニタ５２９に表示される画像データを生成する。
【００６３】
また、グリップ５１３と反対側の端部には、ＵＳＢコネクタ８０１が配設されている。このような構成によれば、ＵＳＢコネクタ８０１と同一基板上にあるＭＰＵ１００との間で高速な通信を行うことが可能である。
【００６４】
インタフェース基板８４０には、ビデオ信号出力用ジャック８４１及びリモート操作用ジャック８４２が配設されている。
【００６５】
次に、本実施例における各基板の構成について詳細に説明する。
【００６６】
図８及び図９は、本実施例における第１のデジタル基板８００、第２のデジタル基板８２０、電源基板８１０、及び、電池室７００の詳細な構成を示す図である。図８は、カメラの前面から見た分解斜視図であり、図９は、カメラの背面から見た分解斜視図である。
【００６７】
図８及び図９において、７０１は、電池室７００の天面の一部を構成する金属プレートである。金属プレート７０１は、電池室７００の天面において不図示の電池排出バネやアクセサリとの信号接点を保持して固定している。金属プレート７０１は、腕部７０１ａ、７０１ｂ、７０１ｃ、７０１ｄ、７０１ｅを有する。腕部７０１ａ〜７０１ｅは、電池室７００の前後に、それぞれ枝状に延びている。
【００６８】
第２のデジタル基板８２０は、腕部７０１ａの先端部を挟んで電池室７００にネジ止め固定される。第２のデジタル基板８２０には、腕部７０１ａの先端部と接触する部分においてグランドパターンが形成されている。このため、第２のデジタル基板８２０に形成されたグランドパターンは、金属プレート７０１と電気的に接続されている。
【００６９】
第１のデジタル基板８００は、第２のデジタル基板８２０の背面側に、腕部７０１ｂ、７０１ｃを挟んで電池室７００にネジ止め固定される。第１のデジタル基板８００には、腕部７０１ｂ、７０１ｃのそれぞれと接触する部分においてグランドパターンが形成されている。このため、第１のデジタル基板８００に形成されたグランドパターンは、金属プレート７０１と電気的に接続されている。
【００７０】
電源基板８１０は、腕部７０１ｄ、７０１ｅを挟んで電池室７００にネジ止め固定される。電源基板８１０には、腕部７０１ｄ、７０１ｅのそれぞれと接触する部分において、電池端子８１２のグランド端子に直結されたグランドパターンが形成されている。このため、電源基板８１０に形成されたグランドパターンは、金属プレート７０１と電気的に接続されている。
【００７１】
このように、本実施例の撮像装置では、電源基板８１０、第１のデジタル基板８００、及び、第２のデジタル基板８２０は、一枚の金属プレート７０１によって電気的に接続されている。
【００７２】
上述の実施例によれば、電源供給回路１１０が設けられた電源基板８１０と映像信号処理回路１０４やカラー液晶駆動回路１１２などが設けられた第１のデジタル基板８００との間に、電池室７００及び第２のデジタル基板８２０が介在することとなる。
【００７３】
このため、電池室７００によって、電源基板８１０と第１のデジタル基板８００との互いの空間距離を確保することが可能になる。また、電池室７００の中における電池の有り無しに関わらず、第２のデジタル基板８２０の配線層によって電源供給回路１１０からのノイズを遮蔽することが可能となる。その結果、映像信号処理回路１０４やカラー液晶駆動回路１１２に電源供給回路１１０からのノイズが悪影響を及ぼし、カラー液晶モニタ５２９の表示品質やビデオ信号出力の表示品質が劣化するのを抑えることができる。
【００７４】
また、第１のデジタル基板８００、第２のデジタル基板８２０、及び、電源基板８１０は、一枚の金属プレート７０１によりグランドに接続されている。金属プレート７０１は、基準電位となるグランド端子の近傍でグランドに接続されている。このため、主要回路のグランドの電位差の発生を効果的に抑制することができ、大気中への不要ノイズの放出量を低減させることが可能になる。
【００７５】
以上、本発明の実施例について具体的に説明した。ただし、本発明は上記実施例にて説明した事項に限定されるものではなく、その技術思想を逸脱しない範囲内で適宜変更が可能である。
【図面の簡単な説明】
【００７６】
【図１】本実施例における撮像装置の主要な電気的構成を示すブロック図である。
【図２】本実施例における撮像装置を前面側より見た外観斜視図である。
【図３】本実施例における撮像装置を背面側より見た外観斜視図である。
【図４】本実施例における撮像装置の前面側より見た内部構成斜視図である。
【図５】本実施例における撮像装置の背面側より見た内部構成斜視図である。
【図６】本実施例における撮像装置の前面側より見た分解斜視図である。
【図７】本実施例における撮像装置の背面側より見た分解斜視図である。
【図８】本実施例における撮像装置の各基板の構成を撮像装置の前面側より見た分解斜視図である。
【図９】本実施例における撮像装置の各基板の構成を撮像装置の背面側より見た分解斜視図である。
【符号の説明】
【００７７】
１：カメラ、１ａ：カメラ本体、２２：ペンタダハミラー、３０：サブミラー、３１：焦点検出センサユニット、３２：機械フォーカルプレーンシャッタ、３３：撮像素子、３４：クランプ／ＣＤＳ（相関二重サンプリング）回路、３５：ＡＧＣ回路（自動利得調整装置）、３６：Ａ／Ｄ変換器、３７：バッファメモリ、３８：メモリコントローラ、３９：外部メモリ、４０：外部インタフェース、４１：ファインダ内液晶表示器、４２：電源、４３：メインスイッチ、４６：測光センサ、１００：ＭＰＵ、１００ａ：ＥＥＰＲＯＭ、１０１：ミラー駆動回路、１０２：焦点検出回路、１０３：シャッタ駆動回路、１０４：映像信号処理回路、１０５：スイッチセンス回路、１０６：測光回路、１０７：液晶表示駆動回路、１０８：バッテリチェック回路、１０９：時刻計測回路、１１０：電源供給回路、１１１：圧電素子駆動回路、１１２：カラー液晶駆動回路、１１３：ストロボ駆動回路、２００：撮影レンズ、２００ａ：撮影レンズユニット、２０１：レンズ制御回路、２０２：ＡＦ駆動部、２０３：絞り駆動部、２０４：絞り、３００：本体シャーシ、４００：撮像ユニット、４１０：光学ローパスフィルタ、４２０：光学ローパスフィルタ保持部材、４３０：圧電素子、５０１：電源スイッチ、５０２：撮影モード設定ダイヤル、５０３：メイン操作ダイヤル、５０４：ストロボユニット、５０５ａ，５０５ｂ：ストラップ取り付け部、５０６：レンズロック解除ボタン、５０７：マウント接点、５０８：マウント部、５０９：外部メモリ収容蓋、５１０：レリーズボタン、５１１：ミラーボックス、５１２：メインミラー、５１３：グリップ、５２０：ファインダ接眼窓、５２０：ＩＳＯ感度設定ボタン、５２２：ＡＦフレーム選択ボタン、５２３：ＡＥロックボタン、５２４：消去ボタン、５２５：決定ボタン、５２６：再生ボタン、５２７：イージーダイレクトボタン、５２８：露出補正設定ボタン、５２９：カラー液晶モニタ、５３０：ＭＥＮＵボタン、５３１：ＤＩＳＰボタン、７００：電池室、７０１：金属プレート、８００：第１のデジタル基板、８０１：ＵＳＢコネクタ、８１０：電源基板、８１２：電池端子、８２０：第２のデジタル基板、８２１：スロット、８４１：ビデオ信号出力用ジャック、８４２：リモート操作用ジャック
【図１】
2009175292.tif 000003
【図２】
2009175292.tif 000004
【図３】
2009175292.tif 000005
【図４】
2009175292.tif 000006
【図５】
2009175292.tif 000007
【図６】
2009175292.tif 000008
【図７】
2009175292.tif 000009
【図８】
2009175292.tif 000010
【図９】
2009175292.tif 000011